(57)【要約】【課題】従来の耐震ドアの問題点を解消し改良された耐震ドア装置及びドア本体を提供する。【解決手段】建物構造部に固着可能なドア枠１０及びドア枠に蝶番を介して開閉可能に支持されるドア本体３０を含むドア装置。ドア本体３０が、内面３１、外面３２、上面３３、下面３４及び２つの側面を有する。ドア枠１０が、枠上面１１、枠下面１３及び２つの枠側面を有する。ドア本体の上面３３が内面３１から外面３２に向かって上昇するドア上部傾斜面Ｅから成り、枠上面１１がドア上部傾斜面Ｅに対応する枠傾斜面Ｆを有する。ドア本体３０の下面にローラ４２が配置される。ドア上部傾斜面Ｅは、水平方向に対し１５°から３５°、好ましくは約２５°の角度をなし、これにより、ドア枠１０が変形するとき、ドア本体３０に内面３１から外面３２へ向かう方向の押圧力を作用させる。【選択図】図４
2008019628.tif 000002
【特許請求の範囲】
【請求項１】
建物構造部に固着可能なドア枠及び該ドア枠に蝶番を介して開閉可能に支持されるドア本体を含むドア装置であって、
ドア本体が、内面、外面、上面、下面及び２つの側面を有し、
ドア枠が、ドア本体の上面、下面及び２つの側面に向かい合う枠上面、枠下面及び２つの枠側面を有し、
ドア本体の一方の側面と該側面に向かい合う枠側面が蝶番により連結され、
ドア本体の上面が内面から外面に向かって上昇するドア上部傾斜面から成り、枠上面が前記ドア上部傾斜面に対応する枠傾斜面を有し、
ドア本体の下面にローラが配置され、該ローラの軸方向中心がドア本体の開放側の側面から３０ｃｍ以内に配置され、
前記ドア上部傾斜面は、水平方向に対し１５°から３５°、好ましくは約２５°の角度をなすと共に、ドア本体の２つの側面の上端の間を同一角度を保持して伸長し、ドア枠が変形するとき、ドア本体に内面から外面へ向かう方向の押圧力が作用することを特徴とするドア装置。
【請求項２】
前記ドア本体の下面のローラの支持軸が水平且つドア本体の外面に平行に配置され、該ローラの下方外周面と枠下面との間の垂直距離が５ｍｍ以下、好ましくは約４ｍｍであることを特徴とする請求項１に記載のドア装置。
【請求項３】
前記ドア上部傾斜面が、ドア本体の内面又は外面を形成する板部材の厚さより大きな厚さの上面板部材及び該上面板部材を覆うステンレス製の薄板により形成され、前記上面板部材は、前記外面に垂直な縦断面において水平方向に対して前記の角度傾斜する傾斜部並びに該傾斜部の両端からそれぞれ内面及び外面に平行に延びる脚部を含むことを特徴とする請求項１又は２に記載のドア装置。
【請求項４】
前記ドア本体の内面又は外面を形成する板部材は、ステンレス製であり、その厚さは１．２〜０．５ｍｍ、好ましくは、０．８ｍｍであり、前記上面板部材は、ステンレス製であり、その厚さは２．５〜１．２ｍｍ、好ましくは、２．０ｍｍであることを特徴とする請求項３のドア装置。
【請求項５】
前記ドア本体の下面が、ドア本体の内面又は外面を形成する板部材の厚さより大きな厚さの下面板部材により形成され、該下面板部材は、前記外面に垂直な縦断面において内面及び外面の間の水平部並びに内面及び外面にそれぞれ結合される２つの脚部を含み、ローラの下方外周面が該水平部に設けた開口を通り下面の下方へ突出され、該ローラの支持軸が該下面板部材に担持される支持板部材により支持されることを特徴とする請求項１乃至４のいずれか１項に記載のドア装置。
【請求項６】
前記ドア本体の下面及び２つの側面、並びにそれらに対応する枠下面及び２つの枠側面は、それぞれドア本体の内面又は外面に垂直な平面から成ることを特徴とする請求項１乃至５のいずれか１項に記載のドア装置。
【請求項７】
ドア枠に蝶番を介して支持可能なドア本体であって、
内面、外面、上面、下面及び２つの側面を有し、
ドア本体の上面が内面から外面に向かって上昇するドア上部傾斜面から成り、
前記ドア上部傾斜面は、水平方向に対し１５°から３５°、好ましくは約２５°の角度をなすと共に、ドア本体の２つの側面の上端の間を同一角度を保持して伸長し、
前記下面及び２つの側面は、それぞれドア本体の内面又は外面に垂直な平面から成り、
前記下面にローラが配置され、該ローラの支持軸が水平且つ外面に平行に配置され、該ローラの軸方向中心がドア本体の開放側の側面から３０ｃｍ以内に配置され、該ローラの下方外周面が下面から垂直方向に突出し、
ドア枠が変形するとき、ドア本体に内面から外面へ向かう方向の押圧力を生じることを特徴とするドア本体。
【請求項８】
前記ドア上部傾斜面が、内面又は外面を形成する板部材の厚さより大きな厚さの上面板部材及び該上面板部材を覆う上面薄板により形成され、該上面板部材は、前記外面に垂直な縦断面において傾斜部並びに該傾斜部の両端からそれぞれ内面及び外面に平行に延びる脚部を含むことを特徴とする請求項７に記載のドア本体。
【請求項９】
前記ドア本体の内面及び外面を形成する板部材並びに前記上面薄板は、ステンレス製であり、その厚さは１．２〜０．５ｍｍ、好ましくは、０．８ｍｍであり、前記上面板部材は、ステンレス製であり、その厚さは２．５〜１．２ｍｍ、好ましくは、２．０ｍｍであることを特徴とする請求項９のドア本体。
【請求項１０】
前記ドア本体の下面が、内面又は外面を形成する板部材の厚さより大きな厚さの下面板部材により形成され、該下面板部材は、前記外面に垂直な縦断面において内面及び外面の間の水平部並びに内面及び外面にそれぞれ結合される２つの脚部を含み、ローラの下方外周面が該水平部に設けた開口を通り下面の下方へ突出され、該ローラの支持軸が該下面板部材に担持される支持板部材により支持されることを特徴とする請求項７乃至９のいずれか１項に記載のドア装置。
【発明の詳細な説明】
【技術分野】
【０００１】
本発明は、地震発生時に玄関ドアが開かなくなる不都合を解消する耐震ドア装置及びドア本体に関する。現在、住宅に設置されている一般的な玄関ドアは、地震等によりドア枠が変形し、開放不可能となり室内から人が避難できなくなる可能性がある。本発明は、新規なドア装置に関し、特に、集合住宅などのコンクリート鉄骨製建造物に設置し地震時のドアの不動化をなくし安全性を高めた新規なドア装置に関する。本発明は、また、そのようなドア装置を工場生産し、高品質で安価に提供する技術に関する。
【背景技術】
【０００２】
高層住宅を含む建造物の玄関ドアなどには、鋼製ドアが一般に広く用いられている。このような鋼製ドアにあっては、地震によって、ドア周囲の壁その他が変形すると、ドア枠、ドア本体、更にドアの蝶番が変形し、ドア本体の開閉が不能となり、住人が室内に閉じ込められ、救助が困難となる可能性が大きい。
【０００３】
地震その他の力によりドア周囲の壁等が変形してもドアを開閉できるようにする技術は、従来、例えば、特許文献１及び２により提案されている。特許文献１は、ドアの外周面における室内側部分をテーパ面部とし、残り部分を平坦面部とし、ドア枠の内周面に、ドアの外周面のテーパ面部及び平坦面部に対応する形状のテーパ面部及び平坦面部を設けることを開示する。特許文献２は、ドア本体の周側辺及び該周辺に対向するドア用枠の内周側にテーパ部分を形成して、耐震性能を付与することを開示する。
【特許文献１】特開平８−３３３９６３号公報
【特許文献２】特開平９−３１７３４０号公報
【発明の開示】
【発明が解決しようとする課題】
【０００４】
従来の耐震ドア本体において、ドア本体の上面の室内側部分をテーパ面部とし、残りの部分を平坦面部としたものは、ドア枠の変形によりドア本体の上面の平坦面部においてドア枠に強く挟み込まれ開けることができなくなる問題があった。また、ドア本体の下面にテーパを設けると、それに伴ってドア枠の高さが高くなりバリアフリー住宅には不適であった。また、既設のドア装置のドア本体及びドア枠を地震等により固定されないように改造するのは、多くの手数を要し、また部材の設置により通路を狭くする等の短所があった。
【０００５】
更に高層住宅の玄関ドアに使用される鋼製ドアにあっては、地震によるドア周囲の壁のゆがみや破壊によって、ドア枠や開閉用の蝶番ばかりでなく、ドア本体にも変形が発生し、鍵錠はストライカー、デッドボルトがずれ、角の接触により摩擦力が極めて大きくなり解錠できなくなることが生じる。また、従来の耐震ドアの内、地震によるドア周囲の壁のゆがみや破壊が起こった際にドアの上下角の接触がないようにクリアランスを大きく開ける形状のものでは、鍵についてドア同様に固定化の現象が生じた。本発明は、これらの従来技術の耐震ドアの問題点を解消し改良された耐震ドア装置及びドア本体を提供することを目的とする。また、本発明の他の目的は、地震による壁などの破壊や枠のゆがみが生じても、解錠可能な状態を維持できる耐震ドア装置及びドア本体を提供することである。
【課題を解決するための手段】
【０００６】
本発明のドア装置は、建物構造部に固着可能なドア枠及び該ドア枠に蝶番を介して開閉可能に支持されるドア本体を含む。ドア本体は、内面、外面、上面、下面及び２つの側面を有し、ドア枠が、ドア本体の上面、下面及び２つの側面に向かい合う枠上面、枠下面及び２つの枠側面を有し、ドア本体の一方の側面と該側面に向かい合う枠側面が蝶番により連結され、ドア本体の上面が内面から外面に向かって上昇するドア上部傾斜面から成り、枠上面が前記ドア上部傾斜面に対応する枠傾斜面を有する。ドア本体の下面にローラが配置され、ローラの軸方向中心がドア本体の開放側の側面から３０ｃｍ以内に配置され、前記ドア上部傾斜面は、水平方向に対し１５°から３５°、好ましくは約２５°の角度をなすと共に、ドア本体の２つの側面の上端の間を同一角度を保持して伸長し、ドア枠が変形するとき、ドア本体に内面から外面へ向かう方向の押圧力が作用する。
【０００７】
本発明のドア装置は、次の特徴を含むことができる。（１）ドア本体の下面のローラの支持軸が水平且つドア本体の外面に平行に配置される。（２）ローラの軸方向中心がドア本体の開放側の側面から３０ｃｍ以内、好ましくは４５ｍｍに配置される。（３）ローラの下方外周面と枠下面との間の垂直距離Ｎが５ｍｍ以下、好ましくは約４ｍｍである。（４）前記ドア上部傾斜面が、ドア本体の内面又は外面を形成する板部材の厚さより大きな厚さの上面板部材及び該上面板部材を覆うステンレス製の薄板により形成される。（５）前記上面板部材は、前記外面に垂直な縦断面において水平方向に対して前記の角度傾斜する傾斜部並びに該傾斜部の両端からそれぞれ内面及び外面に平行に延びる脚部を含む。（６）前記ドア本体の内面又は外面を形成する板部材は、ステンレス製であり、その厚さは１．２〜０．５ｍｍ、好ましくは、０．８ｍｍである。（７）前記上面板部材は、ステンレス製であり、その厚さは２．５〜１．２ｍｍ、好ましくは、２．０ｍｍである。
【０００８】
（８）前記ドア本体の下面が、ドア本体の内面又は外面を形成する板部材の厚さより大きな厚さの下面板部材により形成され、該下面板部材は、前記外面に垂直な縦断面において内面及び外面の間の水平部並びに内面及び外面にそれぞれ結合される２つの脚部を含む。（９）ローラの下方外周面が該水平部に設けた開口を通り下面の下方へ突出され、ローラの支持軸が該下面板部材に担持される支持板部材により支持される。（１０）前記ドア本体の下面及び２つの側面、並びにそれらに対応する枠下面及び２つの枠側面は、それぞれドア本体の内面又は外面に垂直な平面から成る。
【０００９】
本発明のドア本体は、ドア枠に蝶番を介して支持可能であって、内面、外面、上面、下面及び２つの側面を有する。ドア本体の上面が内面から外面に向かって上昇するドア上部傾斜面から成り、前記ドア上部傾斜面は、水平方向に対し１５°から３５°、好ましくは約２５°の角度をなすと共に、ドア本体の２つの側面の上端の間を同一角度を保持して伸長する。前記下面及び２つの側面は、それぞれドア本体の内面又は外面に垂直な平面から成り、前記下面にローラが配置され、該ローラの軸方向中心がドア本体の開放側の側面から３０ｃｍ以内、好ましくは４５ｍｍに配置され、該ローラの支持軸が水平且つ外面に平行に配置される。ローラの下方外周面が下面から垂直距離Ｐだけ突出する。垂直距離Ｐは、５ｍｍ以下、好適には３．５ｍｍである。ドア枠が変形するとき、ドア本体に内面から外面へ向かう方向の押圧力が生じる。
【００１０】
本発明のドア本体は、次の特徴を含むことができる。（１１）前記ドア上部傾斜面が、内面又は外面を形成する板部材の厚さより大きな厚さの上面板部材及び該上面板部材を覆う上面薄板により形成される。（１２）その上面板部材は、前記外面に垂直な縦断面において傾斜部並びに該傾斜部の両端からそれぞれ内面及び外面に平行に延びる脚部を含む。（１３）前記ドア本体の内面及び外面を形成する板部材並びに前記上面薄板は、ステンレス製であり、その厚さは１．２〜０．５ｍｍ、好ましくは、０．８ｍｍである。
【００１１】
（１４）前記上面板部材は、ステンレス製であり、その厚さは２．５〜１．２ｍｍ、好ましくは、２．０ｍｍである。（１５）前記ドア本体の下面が、内面又は外面を形成する板部材の厚さより大きな厚さの下面板部材により形成され、その下面板部材は、前記外面に垂直な縦断面において内面及び外面の間の水平部並びに内面及び外面にそれぞれ結合される２つの脚部を含む。（１６）ローラの下方外周面が該水平部に設けた開口を通り下面の下方へ突出され、ローラの支持軸が該下面板部材に担持される支持板部材により支持される。
【発明を実施するための最良の形態】
【００１２】
以下、図面を参照しながら、本発明に係るドア装置及びドア本体の実施の態様を説明する。図面において、同一又は同様の部材には、同一の参照符号を付し、重複説明を省略する。図１は、本発明の実施例にかかるドア装置１の概略正面図、図２は、図１のＢ−Ｂ線に沿ったドア装置の概略断面図、図３Ａは図１のＡ−Ａ線に沿ったドア本体の概略断面図、図３Ｂは図１のＡ−Ａ線に沿ったドア本体及びドア枠の概略断面図である。図１において、ドア装置１は、図示しない建物構造部に固着可能なドア枠１０、及びドア枠１０に蝶番２３を介して支持されるドア本体３０を含む。ドア本体３０は、取っ手２１を人手により回動して取っ手に協働する係止具を解除すると共に、取っ手を引いて蝶番２３を中心に回転させ開閉される。
【００１３】
図２、図３Ａに示すように、ドア装置１は、ドア枠１０及びドア本体３０を含み、ドア本体３０は、室内側に位置する内面３１、室外側に位置する外面３２、上面３３、下面３４及び２つの側面３５、３６を有する。ドア本体内部は、ハニカムコア３０１で構成される。ドア枠１０は、ドア本体３０の上面３３、下面３４及び２つの側面３５、３６にそれぞれ向かい合う枠上面１１、枠下面１３及び２つの枠側面１５、１６を有し、更にドア内面の周囲に係合する位置にビード（緩衝材）１８を備える。図２、図３Ａに示すように、ドア本体３０の内面３１、外面３２、上面３３、及び２つの側面３５、３６は、それぞれステンレス製の薄板３１１、３２１、３３１、３５１、３６１で形成され、それらの厚さは１．２〜０．５ｍｍ、好ましくは、０．８ｍｍである。ドア本体の下面３４は、外面の薄板３２１より厚いステンレス製板材３４１により形成され、板材３４１の厚さは、例えば、２．０ｍｍである。
【００１４】
ドア本体３０の一方の側面３６とそれに向かい合う枠側面１６とが蝶番２３により連結され、ドア本体３０の一方の側面３６が蝶番２３を中心に回動可能にされる。ドア本体３０の鍵２２は、ドア本体の外面側からはキーにより、室内側からはノブ又はサムターン（図示せず）を回転させることにより、デッドボルト（図示せず）を枠側面のストライカーから後退させ、解錠される。解錠の状態でドアの外面側の取っ手２１を人手により回動して取っ手に連動する係止具を外し取っ手２１を引くことにより、又は内面側からは図示しない取っ手を押圧しドア本体の一方の側面３６近傍のドア内面側の取っ手を押圧することにより、蝶番２３を中心にドア本体３０が回転され通路が開かれる。
【００１５】
図３Ａ及びＢに示すように、ドア本体３０の上面３３が内面３１から外面３２に向かって上昇するドア上部傾斜面Ｅから成り、枠上面１１が前記ドア上部傾斜面に対応する枠傾斜面Ｆを有する。ドア上部傾斜面Eは、水平方向に対し１５°から３５°、好ましくは約２５°の角度をなし、ドア枠１０が変形するとき、ドア本体３０に内面３１から外面３２へ向かう方向の押圧力が作用するようにされる。ドア上部傾斜面Eは、ドア本体の２つの側面３５、３６の上端の間を同一角度を保持して伸長する。枠上面１１がこのドア上部傾斜面に対応する枠傾斜面Ｆを有する。ドア本体３０の下面３４及び２つの側面３５、３６は、ドア本体の内面３１又は外面３２に垂直な平面から成る。また２つの枠側面１５，１６は、それぞれドア本体の内面又は外面に垂直な平面から成る。
【００１６】
図３Ａ及びＢに示すように、ドア本体３０の下面３４にローラ４２が配置される。図４は、図３Ｂと同様の本発明の実施例にかかるドア装置の概略断面図であるが、枠下面がバリアフリーに変形された図である。図５は、ローラ取付部の概略平面図、図６は、ローラ取付部の概略側面図、図７は、ローラ取付部のローラ支持軸に垂直な概略断面図である。図５、図６及び図７に示すように、ローラ４２は、Ω型支持具４４（図６）、支持軸４１、ローラ４２、支持軸４１とローラ４２の間に介在されるブッシュ４３１、４３２を有する。支持軸４１は、ローラ４２をブッシュ４３１、４３２を介して回転可能に担持すると共に、その２つの端部４１１、４１２がそれぞれΩ型支持具４４の２つの立上がり部分４４１、４４１に固着される。
【００１７】
Ω型支持具４４の脚部４４２、４４２は、ドア本体３０の下面３４を形成する断面Ｕ字形部材３４１にボルト４７、４７その他により固着される。ローラ４２及びΩ型支持具４４を覆うΩ型部材４５が配置され得る。ローラ４２は、例えば、外径２０ｍｍ、軸方向長さ２０ｍｍとされ、ローラの軸方向中心Ｃからドア開放端（図１、図５における側面３５）までの距離Ｍが、例えば４５ｍｍとされる。支持軸４１の外径（ブッシュ４３１、４３２の内径より僅かに小さい）は、例えば５ｍｍ、ブッシュ４３１、４３２の外径（ローラ４２の内径より僅かに小さい）は、例えば８ｍｍとされる。
【００１８】
ローラ４２の支持軸４１が水平且つドア本体３０の内面３１及び外面３２に平行に配置され、このローラ４２の下方外周面４２３が、ドア本体３０の下面３４を形成する断面Ｕ字形部材３４１に設けた開口３４６を通過し、ドア本体３０の下面３４の下方へ伸長する。ローラ４２の下方外周面４２３と枠下面１３との間の垂直距離Ｎ（通常時は間隙）は、５ｍｍ以下、好ましくは約４ｍｍである。図３Ｂに示すように、枠下面１３は、ドア本体３０の内面３１から外面３２に向う方向に若干の下降勾配Ｋを備える。この下降勾配は、水平方向に対して、例えば、１０°である。図７に示すように、ローラ４２の下方外周面４２３がドア本体の下面３４から垂直方向距離Ｐ突出する。距離Ｐは、５ｍｍ以下であり、好ましくは、３．５ｍｍである。
【００１９】
図３Ａ及びＢに示すように、ドア本体の上面３３は、ステンレス製の上面薄板（例えば、ＳＵＳ３０４の厚さ８ｍｍの薄板）３３１により形成される。上面薄板３３１は上面板部材３３２により支持される。上面板部材３３２は、ドア本体３０の内面３１又は外面３２に垂直な縦断面において逆Ｕ字型であり、上面薄板３３１に接する傾斜部と、傾斜部の両端からそれぞれドア本体３０の内面３１及び外面３２に平行に延びる２つの脚部３３５、３３６を有し、各脚部は内面３１及び外面３２にそれぞれ結合される。上面板部材３３２の厚さは、例えば、２．３ｍｍである。
【００２０】
ドア本体３０の下面３４が、ドア本体の内面又は外面を形成する板部材の厚さより大きな厚さの下面板部材３４１により形成される。下面板部材３４１は、ドア本体の外面３２に垂直な縦断面において、ドア本体の内面３１及び外面３２の間を伸長する水平部並びに内面及び外面にそれぞれ結合される２つの脚部３４３、３４４を含む。ローラの下方外周面４２３が水平部に設けた開口３４６を通り下面３４の下方へ突出さる。ローラの支持軸４１は下面板部材３４１に担持される支持板部材４４より回転可能に支持される。ドア本体３０の下面板部材３４１及び支持板部材４４は、ステンレス製であり、その厚さは２．５〜１．２ｍｍ、好ましくは、２．０ｍｍである。
【００２１】
図４は、図３Ｂと同様の本発明の実施例にかかるドア装置の概略断面図であるが、枠下面がバリアフリー、即ち、床面に段差を生じないように変形された図である。図４のドア装置１においては、建物の床面に段差を生じないように、図３Ｂの枠下面１３のビード１８等の部材が省かれ、枠下面１３は、水平板材１３２をボルト１３４により建物の床部分に固定した構造とされている。
【００２２】
本発明のドア装置及びドア本体は、上記図面及び実施の態様に示したものには限定されず、その技術的範囲は、特許請求の範囲によってのみ限定される。例えば、本発明は、高層住宅の玄関ドア以外にも種々の建造物の個所、種々の建造物のドア装置、ドア本体に適用可能である。またドア装置は外開きの構造に限られず、内開きの構造のものに適用可能である。
【００２３】
本発明のドア装置においては、ドア本体の上面３３が内面３１から外面３２に向かって上昇するドア上部傾斜面Ｅから成り、枠上面１１がドア上部傾斜面Ｅに対応する枠傾斜面を有し、ドア本体３０の下面にローラ４２が配置される。ドア上部傾斜面Ｅは、水平方向に対し１５°から３５°、好ましくは約２５°の角度をなす。このような構成により、本発明のドア装置は、ドア枠１０が変形するとき、ドア本体３０に内面３１から外面３２へ向かう方向の押圧力が生じ、ドア枠によりドア本体が固定されることがない。そのため地震等でドア枠が変形した場合にもドア本体を人でにより容易に開くことができ、室内から外経避難することができる。本発明においては、更に前記ドア本体の下面のローラの支持軸が水平且つドア本体の外面に平行に配置され、該ローラの下方外周面と枠下面との間の垂直距離Ｎが５ｍｍ以下とされることにより、ドア枠の下面がバリアフリーとするため平坦に形成される場合にも同様にドア本体を人でにより容易に開くことができる。
【図面の簡単な説明】
【００２４】
【図１】本発明の実施例にかかるドア装置の概略正面図。
【図２】図１のＢ−Ｂ線に沿ったドア装置の概略断面図。
【図３】図３Ａは図１のＡ−Ａ線に沿ったドア本体の概略断面図、図３Ｂは図１のＡ−Ａ線に沿ったドア装置の概略断面図。
【図４】図３Ｂと同様の本発明の実施例にかかるドア装置の概略断面図であるが、枠下面がバリアフリーに変形された図。
【図５】ローラ取付部の概略平面図。
【図６】ローラ取付部の概略側面図。
【図７】ローラ取付部のローラ支持軸に垂直な概略断面図である。
【符号の説明】
【００２５】
１：ドア装置、１０：ドア枠、１１：枠上面、１３：枠下面、１５、１６：枠側面、１８：ビード（緩衝材）、２１：取っ手、２３：蝶番、３０：ドア本体、３１：内面、３２：外面、３３：上面、３４：下面、３５，３６：側面、４１：支持軸、４２：ローラ、４４：Ω型支持具、４５：Ω型部材、４７、１３４：ボルト、３０１：ハニカムコア、３１１、３２１、３３１、３５１、３６１：薄板、３３４：上面板部材、３４１：断面Ｕ字形部材、３４３、３４４：脚部、３４６：開口、４１１，４１２：端部、４２３：下方外周面、４３１、４３２：ブッシュ、４４２：脚部、Ｅ：ドア上部傾斜面、Ｆ：枠傾斜面、Ｋ：下降勾配、Ｎ、Ｐ：垂直距離。
【図１】
2008019628.tif 000003
【図２】
2008019628.tif 000004
【図３】
2008019628.tif 000005
【図４】
2008019628.tif 000006
【図５】
2008019628.tif 000007
【図６】
2008019628.tif 000008
【図７】
2008019628.tif 000009